(57)【要約】  本発明は、医療用携帯型装置１のためのテープカセットに関し、該テープカセット５は、機能要素として、ヒトまたは動物の体液の試料を分析するための試験領域８および／またはランセット７を持つ担体テープ６を備え、該担体テープ６は、使用中にテープカセット５の摩擦点１２，１４と通って摺動する。本発明によると、少なくとも１つの摩擦点１４，１２は、摩擦を減少するためにフッ素重合体製の表面からなる。さらに、本発明は、機能要素として、体液試料を分析するための試験領域８および／またはランセット７を持つ担体テープ６と、機能要素７，８を連続的に使用位置に移動可能な輸送機構とを備えた携帯型装置１を有する血糖測定システムであって、担体テープ６がフッ素重合体製の表面を有する、少なくとも１つの摩擦点１４，１２を通って摺動する血糖測定システムに関する。
2011509130.tif 000002
【特許請求の範囲】
【請求項１】
医療用携帯型装置（１）のためのテープカセットであって、該テープカセット（５）が、機能要素としてヒトまたは動物の体液の試料を分析するための試験領域（８）および／またはランセット（７）をもつ担体テープ（６）を含み、該担体テープ（６）が使用中にテープカセット５の摩擦点（１２，１４）を通って滑走するテープカセットにおいて、少なくとも１つの摩擦点（１４，１２）が、摩擦を減少するために、フッ素重合体製の表面を備えることを特徴とするテープカセット。
【請求項２】
前記フッ素重合体が、ＰＴＦＥまたはＰＶＤＦを含有することを特徴とする請求項１記載のテープカセット。
【請求項３】
前記フッ素重合体が、被覆であることを特徴とする請求項１または２記載のテープカセット。
【請求項４】
前記フッ素重合体が、ニスとして適用されることを特徴とする請求項３記載のテープカセット。
【請求項５】
前記フッ素重合体が、箔として適用されることを特徴とする請求項３記載のテープカセット。
【請求項６】
前記フッ素重合体が、２要素の射出成形法で適用されたことを特徴とする請求項１〜３のいずれか１項に記載のテープカセット。
【請求項７】
フッ素重合体製の表面からなる前記摩擦点（１４，１２）が、カセットハウジング（１０）のテープ出口開口部（９）に配置されることを特徴とする請求項１〜６のいずれか１項に記載のテープカセット。
【請求項８】
フッ素重合体製の表面からなる前記摩擦点（１４，１２）が、密閉要素（１２）、特にシールリップにより形成されることを特徴とする請求項７記載のテープカセット。
【請求項９】
前記摩擦点が、テープ出口開口部（９）を被覆する被覆要素（１５）により形成されることを特徴とする請求項７または８記載の装置。
【請求項１０】
体液の試料を分析するための試験領域（８）および／またはランセット７を機能要素としてもつ担体テープ（６）と、該機能要素（７，８）を連続的に使用位置に移動するために使用可能な輸送機構とを含む携帯型装置１を有し、前記担体テープ（６）が摩擦点（１４，１２）を通って滑走する血糖測定システムであって、少なくとも１つの摩擦点（１４，１２）が、摩擦を減少するために、フッ素重合体製の表面を備えることを特徴とする血糖測定システム。
【発明の詳細な説明】
【技術分野】
【０００１】
本発明は、請求項１の序文に特定された特徴を有するテープカセットに関する。
【背景技術】
【０００２】
この型式のテープカセットは、欧州特許出願公開第１４２４０４０号明細書から既知である。既知のテープカセットの担体テープは、機能要素として体液試料を分析するための試験領域を持ち、使用時には、検体の有無または濃度、特にグルコース濃度を測定するために使用される測定装置に挿入される。この型式のテープカセットは、特に、ランセットの穿刺によって得た体液試料、通常は血液または間質液のグルコース濃度の測定を毎日複数回実施しなければならない糖尿病患者にとって必要である。
【０００３】
また、試験領域とランセットとの両方を機能要素として持つ担体テープを有するテープカセットも既知である。この型式のテープカセットは、体液試料の測定と試料を得るためのランセットでの穿刺との両方を実施するために使用可能である統合型の携帯型装置を意図している。しかしながら、より簡素な血糖測定システムは、しばしば２つの別個の携帯型装置、すなわち穿刺装置および測定装置を備える。この型式の穿刺装置において、テープカセットの担体テープが機能要素としてランセットを持つものが知られている。
【０００４】
より高いユーザの利便性のため、特に糖尿病患者によって使用される医療用携帯型装置においてテープの輸送が可能な限り容易であることが重要である。より簡素な携帯型装置において、テープの輸送はユーザによって手動で実施されるが、より複雑な携帯型装置は、担体テープの機能要素を使用位置に連続して配置するために電気モータを有する。
【０００５】
したがって、本発明の目的は、医療用携帯型装置の担体テープの輸送を簡素化可能な方法を考案することである。
【発明の概要】
【０００６】
この目的は、請求項１に特定された特徴を有するテープカセットにより達成される。さらなる有利な発展形は、従属請求項の主題である。また、この目的は、請求項１０に特定された特徴を有する血糖測定システムによって達成される。
【０００７】
本発明によると、使用時に担体テープがここを通って滑走する、少なくとも１つの摩擦点は、摩擦を減少させるためにフッ素重合体製の表面を有する。驚くべきことに、この単純な手段は、テープの摩擦を著しく減少できる。
【０００８】
テープの誘導を減少した巻き角度に変更すること、または摩擦点に対する担体テープの圧力を減少すること、あるいは摩擦特性に関して担体テープの材料を最適化することによって摩擦の減少を追求する代わりに、本発明はまったく異なる手法を採用する。テープカセットまたはその目的にしたがってテープカセットが挿入される医療用携帯型装置の摩擦点の表面において、有利な様式に摩擦を減少するためにフッ素重合体を供することができる。フッ素重合体は、たとえば被覆の形態、特にニスまたはフィルムとして適用可能である。しかしながら、またそれぞれの要素を全体的にフッ素重合体で製造すること、または２要素の射出成形法で別のプラスチック材料と組み合わせてフッ素重合体を加工することも可能である。
【０００９】
本発明は、テープの誘導または機械的輸送機構を変更することなく、比較的単純な手段によってテープの摩擦の著しい減少が達成可能であるため有利である。手動操作される携帯型装置において、ユーザはテープを輸送するために著しく小さい力を用いることを要し、これはユーザの利便性を向上させる。電気モータを有する装置において、低電力モータ、つまりより小さく安価なモータが使用可能である。さらに、モータのエネルギー消費が減少するため、より小さく軽量で安価な電池で足りる。
【００１０】
本発明によると、フッ素重合体はすべての有機および有機シリコンポリマーを含むことが理解され、そのモノマーは共有結合フッ素を含有し、これは純粋で、または混合物として、または合金、あるいはフッ素を含有しない別のポリマーを含む共重合体で供される。本発明で使用されるフッ素重合体は、好ましくは少なくとも１０重量％、たとえば１０〜４０重量％の、たとえばポリテトラフルオロエチレン（ＰＴＦＥ）またはフッ化ビニリデン樹脂（ＰＶＤＦ）を含むことができる。フッ素重合体として、ポリプロピレンとＰＦＴＥとの混合物が特に好ましい。
【００１１】
ヒトまたは動物の体液試料を分析するための試験領域は、通常、たとえば検体濃度の光度定量のための高感度検出試薬を含む。したがって、体液試料を分析するための機能要素として試験領域を持つ担体テープを有するテープカセットは、通常、未使用の試験領域が湿気により悪影響を受けないように密閉型ハウジングを有する必要がある。密閉部が供されたこの型式のカセットのテープの出口開口部は、実質的な摩擦源である。したがって、本発明は、カセットハウジングのテープの出口開口部に配置された摩擦点において特に有利な様式で使用可能である。テープの出口開口部は、フッ素重合体製の表面からなる、たとえば、特にゴム状シールリップであるシールリップにより密閉可能である。フッ素重合体製の表面は、ニスとして適用可能である。また、フッ素重合体含有エラストマーをシールリップの材料として使用することも可能である。
【００１２】
本発明のさらなる詳細および利点を添付の図面を参照して実施の形態により説明する。本工程において説明した特徴は、単独または組み合わせにより請求項の主題となり得る。
【図面の簡単な説明】
【００１３】
【図１】グルコース濃度を測定するための携帯型装置の例示的実施の形態を示す。
【図２】図１に示した携帯型装置のためのテープカセットを示す。
【図３】テープカセットのテープ出口開口部の例示的実施の形態の詳細図を示す。
【図４】テープ出口開口部の別の例示的実施の形態を示す。
【図５】テープカセットのテープ出口開口部でのテープの摩擦を減少する機構の概略図を示す。
【発明を実施するための形態】
【００１４】
図１は、ヒトの体液試料の検体濃度を測定するための医療用携帯型装置１の例示的実施の形態を示す。この型式の携帯型装置１は、血液または間質液試料のグルコース濃度を測定するために、特に糖尿病患者によって使用される。
【００１５】
携帯型装置１は装置開口部２を有し、これに対して、体液試料を引き込むために体部が押圧される。測定結果は、たとえば液晶表示部である表示設備３に表示される。測定装置１の操作のために、操作要素４がボタンの形状で設けられる。
【００１６】
図１に示された測定装置１はその裏側に区画を有し、この中に図２に示されたテープカセット５が挿入可能である。測定装置１およびテープカセット５は、共に血糖測定システムを形成する。テープカセット５は、機能要素として、穿刺により体液試料を得るためのランセット７と、体液試料を分析するための試験領域８とを持つ担体テープ６を含む。測定装置１は、装置開口部２に対して接触する体部を穿刺するためにランセット７を使用可能にし、生成された穿刺傷から生じた体液試料を引き込み、光度手段により分析するために試験領域８を使用可能にするように、機能要素７，８を使用位置に連続的に位置決めする、図示しないテープ運搬設備を含む。試験領域８は、試料との接触により試験領域８の濃度依存性の変色をもたらす検出試薬を含む。この変色は、測定装置１に含まれる測定ユニットにより測定および分析可能である。
【００１７】
テープ輸送中に、たとえばポリエステル製の担体テープ６は、テープカセット５および／また通常は測定装置１の種々の摩擦点を通って滑走する。図２に示された例示的実施の形態において、摩擦点は、たとえばカセットハウジング１０のテープ出口およびテープ入口開口部９、ならびに担体テープ６が沿って滑走するテープ案内要素１１上にもたらされる。摩擦を減少するために、図示された例示的実施の形態の摩擦点は、フッ素重合体製の表面を有する。フッ素重合体は、たとえば被覆でよく、特にニスまたはフィルム／箔でよい。また、フッ素重合体をカセットハウジングの製造中に２要素の射出成形法において適用することも可能である。
【００１８】
図示された実施の形態において、担体テープ６は、カセットハウジング１０からの出口と入口との間で１８０°ねじられる。これにより、ランセット７の方向は、穿刺のために装置開口部２に対して配列可能となる。しかしながら、担体テープ６をねじらずに案内することも可能である。
【００１９】
テープの摩擦のかなりの部分は、担体テープ６が通って案内されるカセットハウジング１０の開口部９の領域において生じる。試験領域８は感湿性があるため、担体テープ６または少なくとも未使用の機能要素８を有するテープ部分は、密閉型ハウジングまたはカセットハンジング１０の密閉部分に配置され、このために、テープ出口開口部９には図３に示されるような密閉要素１２が設けられ、これは好ましくはエラストマー材料製のシールリップとして設計される。この型式の密閉要素は、特に機能要素７，８がこれを通過して案内される際にきわめて高い摩擦をもたらし得る。したがって摩擦を減少するために、密閉要素１２は、図示された実施の形態においてフッ素重合体製の表面を有する。フッ素重合体は、被覆、特にニスとして適用可能である。また、密閉要素１２をフッ素重合体エラストマー製にすることも可能である。
【００２０】
図３は、テープカセット１のテープ出口開口部９の詳細図を示す。摩擦を減少するために、試験領域８は密閉要素１２から外方を向くように担体テープ６側に配置されている。これにより、比較的粗い試験領域８は、カセットハウジング１０により形成された摩擦点１４に沿って滑走可能であり、フッ素重合体製の表面を有する一方で、テープの比較的滑らかな裏側は密閉要素１２から形成された摩擦点に沿って滑走する。密閉要素１２は、テープ出口開口部９を被覆する、たとえば箔である被覆要素１５に取り付けられる。たとえばアルミニウム、プラスチックまたは混合物製の被覆要素１５は、図示しないばね要素１９の力にさらされ、その端部に配置された密閉要素１２をばね様式で担体テープ６に対して押圧する。
【００２１】
カセットハウジング１０の摩擦点１４には、たとえば２要素の射出成形法により、フッ素重合体の表面を設けることができる。２要素の射出成形法は、摩擦点を形成するために、たとえば空洞を形成する取り外し可能な芯部をカセットハウジング１０用の射出成形型に挿入することにより実施可能である。空洞は射出成形中に満たされ、たとえばドイツ、ノイスのダイニオン社から製造可能なポリプロピレンと２０重量％のＰＴＦＥ微粒子との混合物を使用できる。第２の射出のために、取り外し可能な芯部は交換され、ハウジングの射出成形はＰＴＦＥの分留を含まないポリプロピレンにより完了する。
【００２２】
また摩擦点１４は、ＰＴＦＥ箔の後部での射出により生成することもできる。
【００２３】
フッ素重合体の表面がニスとして適用される場合、ニスのより良好な接着を得るために、プラズマ処理、特に大気プラズマまたはその他の好適な活性化方法により、たとえばポリプロピレンのハウジングであるカセットハウジング１０を前処理することが有利である。ＰＴＦＥ含有ニスは、ハウジングまたは密閉要素１２の摩擦点に対して好ましい。好適なニスは、たとえばドイツ、ウィラーバッチのフックス・ルブリテック社からグライトモＳＦＬ９０６２ＫおよびグライトモＳＦＬ９４６０Ｋ１の商品名で市販されている。
【００２４】
テープカセット５のテープ入口またはテープ出口開口部９の別の例示的実施の形態が図４に示されており、本例示的実施の形態は、密閉要素が被覆要素１５ではなく、カセットハウジング１０に取り付けられている点で図３の例示的実施の形態と相異する。このため、機能要素７，８は被覆要素１５に面するように担体テープ６の他方側に配置される。本例示的実施の形態において、被覆要素１５は担体テープ６に対して接触して摩擦点を形成するため、被覆要素１５もまたフッ素重合体製の表面を有する。被覆要素１５は、フッ素重合体がたとえばＰＴＦＥ含有ニスであるニスとして適用される、たとえばアルミニウム箔でよい。ニスの接着を向上するために、被覆要素１５は、ニスの適用前に、たとえばプラズマ処理などで活性化することができる。
【００２５】
図５は、テープカセット５のテープ出口開口部９において、テープ摩擦のさらなる減少を達成するために使用可能な機構の概略図を示す。図５に示された機構は、担体テープ６が被覆要素１５によってテープ出口開口部９の密閉部１２に対して押圧される押圧力をテープ輸送機構に連結された作動要素１６によってテープ輸送中に間欠的に減少させ、被覆要素１５に作用するばね要素１９を上昇することによってテープ出口開口部９を被覆する被覆要素１５への負荷を間欠的に減少する。作動要素１６は、必要に応じて作動される作動装置により移動される。たとえばスライダまたはプランジャでよい。好ましくは、作動要素１６は、たとえばリンク動作によって装置のテープ輸送要素により駆動される。図５は、図５に示された矢印の方向に沿って可動であり、案内要素１８により工程中に案内される測定装置１の駆動要素１７を概略的に示す。この種の動作において、作動要素１６は駆動要素１７の表面上の制御曲線に追随するため、ばね要素１９は間欠的に上昇し、よってテープの摩擦が減少する。
【００２６】
動作要素１６は、試料の取り込みまたは穿刺傷の生成のために、担体テープ６をその長手方向に巻き取ることによって移動するテープ輸送設備に連結するか、または担体テープ６を図１に示された装置ハウジング２に対してテープの長手方向に横断するように移動するために使用される輸送機構に連結することができる。
【符号の説明】
【００２７】
１  携帯型装置／測定装置
２  装置開口部
３  表示設備
４  ボタン
５  テープカセット
６  担体テープ
７  ランセット
８  試験領域
９  テープ出口開口部
１０  カセットハウジング
１１  テープ案内要素
１２  密閉要素
１４  摩擦点
１５  被覆要素
１６  作動要素
１７  駆動要素
１８  案内要素
１９  ばね要素
【図１】
2011509130.tif 000003
【図２】
2011509130.tif 000004
【図３】
2011509130.tif 000005
【図４】
2011509130.tif 000006
【図５】
2011509130.tif 000007
【国際調査報告】
2011509130.tif 000008
2011509130.tif 000009
2011509130.tif 000010
2011509130.tif 000011
2011509130.tif 000012
2011509130.tif 000013